(57)【要約】【課題】この発明は、パネルの構造を簡素化して、低価格化を図るとともに、パネル間の隙間のバラツキを抑制して、見栄えを向上できるエレベータのかご室を得る。【解決手段】縦枠１１と横枠１２とが格子状に組み上げられてかご床２上に据え付けられる。そして、パネル６の裏面に立設された嵌め込み具９がかご室１内から横枠１２に穿設された取付穴に嵌め込まれ、枠体１０に取り付けられる。そして、パネル６が枠体１０の天井および側面に布設され、かご室の天井および側壁を構成している。【選択図】図３
2005060009.tif 000002
【特許請求の範囲】
【請求項１】
かご床と、上記かご床上に組み立てられた箱形の枠体と、上記枠体に内側から取りつけられて天井および側壁を構成するパネルとを備えたことを特徴とするエレベータのかご室。
【請求項２】
取付穴が上記枠体を構成する枠部材に形成され、上記取付穴に嵌合可能な嵌合部材が上記パネル裏面に立設され、上記パネルがかご室内から上記嵌合部材を上記取付穴に嵌め込んで上記枠体に固定されていることを特徴とするエレベータのかご室。
【請求項３】
隣接する上記パネルは、その裏面端部が蝶番により連結されて２つ折り可能に構成されていることを特徴とする請求項１又は請求項２記載のエレベータのかご室。
【請求項４】
目地が上記天井を構成する上記パネルと上記側壁を構成する上記パネルとの間に隙間なく介装されていることを特徴とする請求項１乃至請求項３のいずれか１項に記載のエレベータのかご室。
【請求項５】
上記枠体は、昇降路機器の据え付け作業用枠体であることを特徴とする請求項１乃至請求項４のいずれか１項に記載のエレベータのかご室。
【発明の詳細な説明】
【技術分野】
【０００１】
この発明は、天井および側壁を構成するパネルが互いに隣接して配設されて構成されるエレベータのかご室に関するものである。
【背景技術】
【０００２】
従来のエレベータのかご室は、かご枠の下枠に取り付けられたかご床と、かご床の前側に立設されて出入り口を構成する袖壁と、かご床の両側および後側に立設された側壁と、天井とにより囲われて構成されている。これらの天井、袖壁および側壁を構成するパネルは、幅方向の両端部をコ字状に折り返して、強度・剛性を高めている。さらに、袖壁および側壁を構成するパネルの幅方向の一端側の折り返し部に溝状凹部が形成され、幅方向の他端側の折り返し部に凸状部が形成されている。そして、隣接するパネルは凸状部を溝状凹部に嵌着させて連結されている。また、側壁を構成するパネルの下端部はかご床に締結具により締結され、天井を構成するパネルは側壁を構成するパネルの上端部に締結されている（例えば、特許文献１参照）。
【０００３】
【特許文献１】特開２００１−３０２１４９号公報
【発明の開示】
【発明が解決しようとする課題】
【０００４】
従来のエレベータのかご室では、天井、側壁および袖壁を構成するパネルの強度・剛性を高めるために幅方向の両端部にコ字状の折り返し部を形成する必要があり、パネルが複雑な構造となってしまい、コストアップをもたらしていた。そして、パネルの幅方向の両端に折り返し部を形成しただけでは十分な強度・剛性が得られない場合には、それらの裏面に補強材を配設する必要があるという不具合もあった。
また、隣接するパネルが凸状部と溝状凹部との嵌合により連結されているので、凸状部と溝状凹部との各嵌合具合を一致させることがかご室の見栄えの向上につながる。しかしながら、凸状部と溝状凹部との各嵌合部での嵌合具合を一定にすることは極めて困難であり、パネル間の隙間にバラツキが生じ、見栄えが悪くなるという課題があった。
【０００５】
この発明は、パネルの構造を簡素化して、低価格化を図るとともに、パネル間の隙間のバラツキを抑制して、見栄えを向上できるエレベータのかご室を得ることを目的とする。
【課題を解決するための手段】
【０００６】
この発明によるエレベータのかご室は、かご床と、上記かご床上に組み立てられた箱形の枠体と、上記枠体に内側から取りつけられて天井および側壁を構成するパネルとを備えている。
【発明の効果】
【０００７】
この発明によれば、パネルを内側から枠体に取りつけているので、パネルが枠体と一体となり、パネルの強度・剛性が高められる。そこで、パネルの端部に折り返し部を形成する必要がなく、パネルの構造を簡素化でき、低価格化が図られる。また、パネルの外形寸法精度を高めることでパネル間の隙間のバラツキが抑制できるので、かご室の見栄えを向上できる。
【発明を実施するための最良の形態】
【０００８】
実施の形態１．
図１はこの発明の実施の形態１に係るエレベータのかご室内を出入り口側からみた正面図、図２は図１のＩＩ−ＩＩ矢視断面図、図３は図２のＩＩＩ−ＩＩＩ矢視断面図、図４はこの発明の実施の形態１に係るエレベータのかご室における枠体設置状態を説明する斜視図、図５はこの発明の実施の形態１に係るエレベータのかご室における枠体の要部を示す側面部、図６はこの発明の実施の形態１に係るエレベータのかご室を構成するパネルを示す背面図、図７は図２のＡ部拡大断面図、図８は図３のＢ部拡大断面図、図９は図３のＣ部拡大断面図である。
【０００９】
図１乃至図４において、かご室１は、かご枠１５の下枠１６に固定されたかご床２と、かご床２の前側に立設されて出入り口を構成する袖壁３と、かご床２の両側および後側に立設された側壁４と、天井５とにより囲われて構成されている。そして、側壁４および天井５は、パネル６を枠体１０にかご室１内から取り付けて構成されている。また、袖壁３は、パネル６Ａを枠体１０の出入り口に取りつけて構成されている。
【００１０】
枠体１０は、枠部材としての角パイプからなる縦枠１１および横枠１２を格子状に組み付けて箱形に構成され、かご床２上に固着して設置される。そして、例えば直径５〜１０ｍｍの取付穴１３が、図５に示されるように、横枠１２に穿設されている。
パネル６は、化粧板７と、化粧板７の裏面に取り付けられた取付座板８との２層構造に構成されている。そして、横枠１２の取付穴１３に嵌合される嵌合部材としての嵌め込み具９が取付座板８の裏面に立設されている。この嵌め込み具９は、樹脂成形品であり、Ｕ字状の弾性係止部９ｂが基部９ａの先端側に形成されている。また、２枚のパネル６が、図６に示されるように、その端部裏面同士を蝶番１４により連結され、２つ折り可能に構成されている。ここで、嵌め込み具９の基部９ａは取付穴１３の直径より僅かに小径の円柱状に形成され、弾性係止部９ｂは根元部を取付穴１３の直径より大径とする砲丸形状に形成されている。
【００１１】
つぎに、昇降路機器の据え付け調整作業に付随したかご室１の組立方法について説明する。
まず、かご床２がかご枠１５の下枠１６に据え付け固定される。そして、図４に示されるように、縦枠１１および横枠１２を格子状に組み付けて、箱形のかご枠１０がかご床２上に据え付けられる。さらに、図示していないが、作業床および手摺りがかご枠１５の上枠１７に据え付け固定される。
そして、かご床２上に設置された枠体１０、上枠１７に設置された作業床および手摺りを利用して、昇降路機器の据え付け調整が行われる。昇降路機器の据え付け調整が終了すると、上枠１７に設置された作業床および手摺りが解体・撤去される。
【００１２】
ついで、蝶番１４で連結された２つのパネル６を平面状に広げ、パネル６の嵌め込み具９を枠体１０の天井の横枠１２の取付穴１３に嵌め込んで、パネル６が枠体１０の天井全体に布設され、天井５を組み立てる。この時、嵌め込み具９の弾性係止部９ｂが、Ｕ字状の溝部の幅を狭めるように弾性変形しつつ取付穴１３内に挿入される。そして、弾性係止部９ｂが取付穴１３から突き出て元の形状に復元する。これにより、図８に示されるように、嵌め込み具９の基部９ａが取付穴１３内に通され、復元した弾性係止部９ｂの根元部が横枠１２の外壁面に引っ掛かり嵌め込み具９の取付穴１３からの抜けを阻止している。そこで、パネル６が横枠１２に嵌合係止されて固定される。
【００１３】
さらに、蝶番１４で連結された２つのパネル６を平面状に広げ、パネル６の嵌め込み具９を枠体１０の一側面の横枠１２の取付穴１３に嵌め込んで、パネル６が枠体１０の一側面前面に布設される。同様にして、パネル６が枠体１０の全側面に布設され、側壁４を組み立てる。この時、嵌め込み具９の弾性係止部９ｂが、Ｕ字状の溝部の幅を狭めるように弾性変形しつつ取付穴１３内に挿入される。そして、弾性係止部９ｂが取付穴１３から突き出て元の形状に復元する。これにより、図７に示されるように、嵌め込み具９の基部９ａが取付穴１３内に通され、復元した弾性係止部９ｂの根元部が横枠１２の外壁面に引っ掛かり嵌め込み具９の取付穴１３からの抜けを阻止している。そこで、パネル６が横枠１２に嵌合係止されて固定される。また、隣接するパネル６は、図９に示されるように、同一の横枠１２に嵌合係止されて固定される。
また、パネル６Ａが、一側面を枠体１０の出入り口を構成する縦枠１１に係合させ、他側面および上端面を縦枠１１および横枠１２にねじ１８により締着して取りつけられ、袖壁３を組み立て、かご室１の組立が完了する。
【００１４】
このように、この実施の形態１によれば、パネル６がかご床２上に設置された枠体１０に取り付けられているので、パネル６が枠体１０により補強されて、強度・剛性が高められる。そこで、パネル６の端部を折り曲げたり、補強材を裏面に貼り付けたりする必要がなく、パネル６の構造の簡素化が図られ、その分低価格化が実現される。また、パネル６の外形寸法精度を高めることで、パネル６間の隙間のバラツキを抑制できるようになり、かご室１の見栄えを向上できる。
また、パネル６は、かご室１内から嵌め込み具９を横枠１２に穿設された取付穴１３に嵌め込んで枠体１０に取り付けるようにしているので、パネル６の取り付け作業が簡単となり、さらにかご室１の組立時の締着作業が削減され、かご室１の組立作業性が向上される。また、かご室１内での作業となり、狭い昇降路でも、かご室１を容易に組み立てることができる。
また、２つのパネル６が裏面側で蝶番１４により連結されているので、組立時、２つのパネル６を２つ折りにした状態で仮置きができ、仮置きスペースの省スペース化が図れるとともに、パネルの取付作業時間を短縮できる。さらに、部品点数が削減でき、運搬作業性が向上されるとともに、欠品等の確認が容易となる。
【００１５】
また、昇降路機器の据え付け調整用枠体をパネル取付用の枠体１０として利用しているので、従来、昇降路機器の据え付け調整作業が終了した後に実施していた枠体の撤去作業が不要となる。そこで、撤去作業や、解体部品の確認作業およびその搬送作業に伴うコストを削減できる。さらに、かご室１の意匠の痛みが激しく、見栄えを上げたい、最新方式に代えたい等の理由でモダニゼーションされる際に、枠体１０を作業用枠体として活用でき、作業効率を向上させることができる。
【００１６】
なお、上記実施の形態１では、２つのパネル６を蝶番１４で連結するものとして説明しているが、パネル６は必ずしも蝶番１４で連結する必要はなく、パネル６を１枚ずつ枠体１０に取り付けるようにしてもよいし、蝶番１４で連結されたパネル６と１枚のパネル６とを組み合わせて取り付けてもよい。
また、上記実施の形態１では、嵌め込み具９を備えたパネル６を用いて側壁４および天井５を構成するものとして説明しているが、嵌め込み具９を備えたパネル６を用いて袖壁３を構成するようにしてもよいことは言うまでもないことである。
また、上記実施の形態１では、取付穴１３を枠体１０の横枠１２に形成するものとしているが、取付穴１３を縦枠１１に形成するようにしてもよいし、縦枠１１および横枠１２の両者に形成するようにしてもよい。
【００１７】
実施の形態２．
図１０はこの発明の実施の形態２に係るエレベータのかご室を示す縦断面図、図１１は図１０のＤ部拡大断面図である。
図１０および図１１において、断面コ字状の樹脂製の目地２０が側壁４を構成するパネル６と天井５を構成するパネル６との間に隙間なく介装されている。
なお、他の構成は上記実施の形態１と同様に構成されている。
【００１８】
この実施の形態２におけるかご室１の組立方法は、パネル６の取付時に目地２０を一緒に取り付ける点を除いて、上記実施の形態１と同様である。
【００１９】
従って、この実施の形態２においても、上記実施の形態１と同様の効果が得られる。
また、この実施の形態２によれば、目地２０が側壁４を構成するパネル６と天井５を構成するパネル６との間に介装されているので、パネル６の嵌め込み具９を取付穴１３に嵌め込む際に、余度が出る。そこで、パネル６の取付作業性が向上されるとともに、パネル６の製作誤差を吸収することができ、パネル６の製作性および歩留まりが高められる。
また、モダニゼーションされる際に、目地２０を取り外して側壁４を構成するパネル６と天井５を構成するパネル６との間に隙間を形成した後、パネル６の取り外す作業が行えるので、パネル６の撤去作業性が向上される。
【００２０】
実施の形態３．
図１２はこの発明の実施の形態３に係るかご室におけるパネルの取付工程を説明する断面図である。
図１２において、横枠１２の取付穴１３に嵌合される嵌合部材としての嵌め込み金具２１が取付座板８の裏面に立設されている。この嵌め込み金具２１は、バネ鋼をＪ状に折り曲げ成形されたものであり、Ｕ字状の弾性係止部２１ｂが基部２１ａの先端側に形成されている。
なお、他の構成は、上記実施の形態２と同様に構成されている。
【００２１】
この実施の形態３では、図１２に示されるように、嵌め込み金具２１の弾性係止部２１ｂが、Ｕ字状の幅を狭めるように弾性変形しつつ取付穴１３内に挿入される。そして、弾性係止部２１ｂが取付穴１３から突き出て元の形状に復元する。これにより、嵌め込み金具２１の基部２１ａが取付穴１３内に通され、復元した弾性係止部２１ｂが横枠１２の外壁面に引っ掛かり嵌め込み金具２１の取付穴１３からの抜けを阻止している。そこで、パネル６が横枠１２に嵌合係止されて固定される。
【００２２】
従って、この実施の形態３においても、上記実施の形態２と同様に効果が得られる。
また、この実施の形態３によれば、嵌合部材としてＪ状に成形された嵌め込み金具２１を用いているので、モダニゼーションされる際に、目地２０を取り外して側壁４を構成するパネル６と天井５を構成するパネル６との間に隙間を形成した後、該隙間を利用してパネル６を横枠１２に沿って移動させて弾性係止部２１ｂと横枠１２の外壁面との引っ掛かりを解除させることができる。そこで、パネル６を取り外しが容易となり、パネル６の撤去作業性がさらに向上される。
【図面の簡単な説明】
【００２３】
【図１】この発明の実施の形態１に係るエレベータのかご室内を出入り口側からみた正面図である。
【図２】図１のＩＩ−ＩＩ矢視断面図である。
【図３】図２のＩＩＩ−ＩＩＩ矢視断面図である。
【図４】この発明の実施の形態１に係るエレベータのかご室における枠体設置状態を説明する斜視図である。
【図５】この発明の実施の形態１に係るエレベータのかご室における枠体の要部を示す側面部である。
【図６】この発明の実施の形態１に係るエレベータのかご室を構成するパネルを示す背面図である。
【図７】図２のＡ部拡大断面図である。
【図８】図３のＢ部拡大断面図である。
【図９】図３のＣ部拡大断面図である。
【図１０】この発明の実施の形態２に係るエレベータのかご室を示す縦断面図である。
【図１１】図１０のＤ部拡大断面図である。
【図１２】この発明の実施の形態３に係るかご室におけるパネルの取付工程を説明する断面図である。
【符号の説明】
【００２４】
１  かご室、２  かご床、４  側壁、５  天井、６  パネル、９  嵌め込み具（嵌合部材）、１０  枠体、１１  縦枠（枠部材）、１２  横枠（枠部材）、１３  取付穴、１４  蝶番、２０  目地、２１  嵌め込み金具（嵌合部材）。
【図１】
2005060009.tif 000003
【図２】
2005060009.tif 000004
【図３】
2005060009.tif 000005
【図４】
2005060009.tif 000006
【図５】
2005060009.tif 000007
【図６】
2005060009.tif 000008
【図７】
2005060009.tif 000009
【図８】
2005060009.tif 000010
【図９】
2005060009.tif 000011
【図１０】
2005060009.tif 000012
【図１１】
2005060009.tif 000013
【図１２】
2005060009.tif 000014